(57)【特許請求の範囲】
【請求項１】
取付基板と、取付基板表面に設けた長尺体固定部と、取付基板裏面に設けた凹部と、磁石片とヨーク片とを組み合わせて前記凹部に設けた磁石部とからなり、前記取付基板凹部には、四方のうち、一方の開口部付近に係止突起を設け、前記係止突起と相対する他方の奥に別の係止突起を設け、前記磁石部に前記各係止突起に係合する段部をそれぞれ設けたことを特徴とする長尺体保持具。
【発明の詳細な説明】
【０００１】
【発明の属する技術分野】
この発明は、ケーブルや菅体等の長尺体をパネル等に取り付ける際に使用するものであって、特にパネルへの固定取付の改良した長尺体保持具に関する。
【０００２】
【従来の技術】
本発明に関連して、先に本出願人の出願した考案は、実公昭５６−４６１６号公報や実公昭６２−１１７９５号公報で開示されている。
前者は、ブロックと一体にブロックから長さ方向に延出する、可撓性の梯子状帯片とからなっていて、該帯片は電線等を抱持してブロックの端近くにある隆起部の貫通孔を通って他端にある一対の把持片間で梯子状帯片の横材が選択的に把持される構成になっている。この梯子状結束帯紐はブロックにねじを通してブロックをパネル上に予め穿設した孔にねじ止めするか、ブロック裏面に予め施された接着糊でブロックをパネルに取付けて、電線等の結束を反復して行うことができる。
後者は、取付基板の裏面に中央に弾性差込脚と長さ方向両端に突片が一体に形成されたものであり、予め穿設したパネルの孔に矢じり状差込脚を端に差し込むことによってパネルに固定することができるものであった。
【０００３】
【発明が解決しようとする課題】
しかし、前者は、ブロックをパネルにねじ止めして固定するのはねじ止め現場で体験するようにねじの螺装が煩雑であり、時には止めねじを落したりする思わぬ失策もあるので必ずしも満足されない。また、パネルに孔をあけておく必要があるので、取付け場所を変更する必要が生じた場合、パネルに新たに孔をあける作業をしなければならず、簡単に変更することができない。又、ブロックの裏面に接着剤を施したものは取付けは簡単であるが、取付け場所を変更する必要が生じた場合一度接着した接着剤をはがすのは簡単ではなく、さらに取外した後ブロックの裏面に再度接着剤を施さなければならなかった。
又、後者は、予め穿設したパネルの孔に矢じり状差込脚を単に差し込むことによってパネルに固定することができ、パネルへの取付が極めて楽なものであったが、取付け場所を変更する必要が生じた場合、パネルから取り外す作業に手間がかかるとともにパネルに新たに取付孔をあける作業をしなければならず前者と同様にいったんパネルに取り付けた後は簡単に取付場所を変更することができなかった。
本発明は、上記のような問題点を解消するためになされたもので、取付場所の変更が生じた場合でも速やかに移動できるとともに、組立が簡単な長尺体保持具を提供することを目的とする。
【０００４】
【課題を解決するための手段】
本発明は、その目的を達成するため次のような構成を採用している。
つまり、本発明の長尺体保持具は、取付基板と、取付基板表面に設けた長尺体固定部と取付基板裏面に設けた凹部と、磁石片とヨーク片とを組み合せて前記凹部に設けた磁石部とからなり、前記取付基板凹部に係止突起を設け、前記磁石部に係止突起に係合する段部を設けたことを特徴とするものである。
また、本発明の長尺体保持具は、前記長尺体固定部には、前記取付基板の一端に枢着された１対の側棒間に多数の平行段のある梯子状可撓性ベルトと、取付基板の表面にはその他端に前記ベルトの平行段と選択的に係合する先端外向きのストッパと、前記ストッパの内方に近接して設けられた前記ベルトを案内して結束を保持する貫通孔のある隆起部が備えられるものである。
【０００５】
【作用】
本発明は、上記構成により、取付基板の凹部に磁石を設けたことにより、パネルに孔をあけることなく簡単に取り付け場所を変更することができるとともに、磁石片にヨーク片を組み合せた磁石部を取り付け基板の凹部に押し込むだけで凹部の係止突起と磁石部の段部が係合して簡単に磁石部の取付基板への組立を完了させることができる。
請求項２に係る発明は、上記構成により、結束を解くときにいったん長尺体保持具ごとパネルから取り外して作業しやすい位置でベルトをストッパから外すことができる。
【０００６】
【発明の実施の形態】
次に長尺体保持具の実施の形態（以下、「実施例」という）を添付図面に基づいて説明する。
図１は長尺体保持具１の開放状態（使用前）を示す正面図であり、図２は図１のＡ−Ａ断面図であり、図３は長尺体保持具１の取付基板２の側面図であり、図４は取付基板２に係合固定される磁石部の側面図であり、図５は取付基板２に磁石部４を係合固定する場合を説明する一部破断の側面図であり、図６は長尺体保持具１をパネルに取り付けた使用状態の一部破断の側面図である。
図１に示したように長尺体保持具１は、適度の弾性を有するプラスチック（例えばポリアミド）からなる取付基板２と、該取付基板２表面に設けた長尺体固定部３と、取付基板２裏面に設けた凹部５と、磁石片６とヨーク片７とを組み合せて前記凹部５に設けた磁石部４とからなっている。
前記取付基板２凹部５には、四方の内の一方（図２では後述するストッパ１６側）の開口部付近に傾斜部を有する係止突起８を２カ所設けるとともに係止突起８と相対する他方の奥に係止突起９を２カ所設けている。
前記磁石部４には前記係止突起８，９に係合する段部１０，１１をそれぞれ２カ所ずつ設けている。
【０００７】
また、前記長尺体固定部３は、前記取付基板２の一端に枢着された１対の側棒１４、１４間に多数の平行段１５のある梯子状可撓性ベルト１２と、取付基板２の表面にはその他端に前記ベルト１２の平行段１５と選択的に係合する先端外向きのストッパ１６と、前記ストッパ１６の内方に近接して設けられた前記ベルト１２を案内して結束を保持する貫通孔１８のある隆起部１７が備えられる。更に詳細に説明すると梯子状可撓性ベルト１２は基端の断面瓠状棒１９の両端が基板２の表面で一対の鞍状片２０、２０で蔽われて１３の位置で軸支されている。又、梯子状部２１の先部２２は貫通孔１８への差込縁となって、係止時に縁先は基板２と反対方向に反るようになっている。又貫通孔１８の天井は結束を解く時ベルト１２をストッパ１６より外し易いように外向に発散した構造になっている。
【０００８】
次ぎに、取付基板２の凹部５に磁石部４を固定する際の手順を説明する。まず磁石片６をヨーク片７に取り付けて磁石部４を組み立てた後、図５に示すようにヨーク片７の一方の段部１１を凹部５の係止突起９に斜めに差し込んでから、ヨーク片７のもう一方段部１０を凹部５に向けて押し込むとヨーク片７は段部１１を支点として回転しながら係止突起８部を外方に向けて弾性変形させつつ凹部５に押し込まれて、やがてヨーク片７のもう一方の段部１０が斜面を有するもう一方の係止突起８に係合して係止突起８部は弾性復元して取付基板２の凹部５への磁石部４の固定が完了する。この係合をする時係止突起９に係合段部１１を係合させた状態で係止突起８だけを弾性変形させれば良いとともに係止突起８は斜面を有しているので前記弾性変形を容易にし、磁石の固定を簡単に行うことができる。
【０００９】
続いて上記本発明実施例の長尺体保持具１を使用する場合について説明すると、取付基板２上に電線、管体等の長尺体４１を配してベルト１２で長尺体４１を抱持しつつベルト１２を貫通孔１８を通して梯子の段１５の一つをストッパ１６に掛けることによって長尺体の結束が完成する。結束を解く時は差込縁２２を拘束力に抗して外方に引けば段１５とストッパ１６との係合が外れて、長尺体を緩めて、解ける。この長尺体保持具１は図６に示したように長尺体４１を結束したまま、又は結束前に予め取付パネル４０に磁力により固定しておく。
取付パネルに磁力により固定しているので、配線や配管をする場合、仮固定しておいて、位置を修正することや、後で取付場所を変更する必要が生じた場合パネルも新たに孔をあける必要がなく移動させることができる。
【００１０】
長尺体固定部３は上記実施例に限られるわけではなく、長尺体を結束することができるものであればよい。以下、その別の実施例（第２実施例）について説明すると、図７は正面図であり、図８はそのＢ−Ｂ断面図である。図７、図８に示すように適度の弾性を有するプラスチック（例えばポリアミド）からなる取付基板２４と、該取付基板２４表面に設けた長尺体固定部２５と、取付基板２４裏面に設けた凹部５と、磁石片６とヨーク片７とを組み合せて前記凹部５に設けた磁石部４とからなる長尺体保持具２３の基本構成は第１実施例と同様である。
但し、長尺体固定部２５は第１実施例と異なり取付基板２４表面に取付基板２４と一体に形成した一定幅のＣ字型弾性湾曲帯２６を備えた構成となっている。このＣ字型弾性湾曲体２６の開放端側には先端部に外向きに突出した係合突縁２７を設けていて、該係合突縁２７を取付基板２４と一体に形成された係合片２８と控え突片間２９に押し込むことで係合片２８に係止するように形成している。湾曲体２６には、係合突縁２７近くに外向きにクランプ操作片３０を設けている。
【００１１】
第２実施例の長尺体固定具２３は以上のような構造であり、その使用方法を説明すると、Ｃ字型弾性湾曲２６と取付基板２４との間の開口部から湾曲体２６内に電線等の長尺体を挿入し、続いて湾曲帯２６の係合突縁２７を取付基板２４の係合片２８に係合させて長尺体の固定が完了する。結束を解く時は係合片２８をその付根部より外へ倒すことでＣ型弾性湾曲体２６の弾性復元力が働き結合状態を解かれて長尺体の取り出しができる。この長尺体保持具２３は第１実施例と同様に長尺体を結束したまま、又は結束前に予めパネルに磁力により固定しておく。
【００１２】
本発明は上記実施例に限定されるわけではなく、例えば、上記第２実施例においてはＣ字型の弾性湾曲体２６を形成しているが、Ｌ字型の湾曲体であっても良い。また、湾曲体２６と取付基板２４とを薄肉支持部を介して形成し、係合突縁２７を係合片２８に係合させやすくしても良い。
【００１３】
また、上記第１、第２実施例では前記取付基板２，２４の凹部５には、四方のうち一方の開口部付近に傾斜部を有する係止突起８を２カ所と係止突起８に相対する他方の奥に係止突起９を２カ所設けるとともに、前記磁石部４には前記係止突起８，９に係合する段部１０，１１をそれぞれ２カ所ずつ設けたが、これに限定されるわけではなく第３実施例の長尺体保持具３２として図９、図１０、図１１に図示したように設けてもよい。図９は、図１のＡ−Ａ線と同じ箇所で切断した場合の断面図であり、図１０は取付基板３３の側面図であり、図１１は磁石部３４の側面図である。図示したように取付基板３３凹部３５には四方のうち相対するそれぞれの開口部付近に傾斜部を有する係止突起８を２カ所ずつ設け、前記磁石部３４には前記係止突起８に係合する段部１０をそれぞれ２カ所ずつ設けてもよい。
第３実施例によれば、取付基板３３の凹部３５に磁石部３４を固定する際には、まず磁石片３６をヨーク片３７に取り付けて磁石部３４を組み立てた後、ヨーク片３７の両方の段部１０を凹部３５に向けて押し込むとヨーク３７は係止突起８部を外方に向けて弾性変形させつつ凹部３５に押し込まれて、やがてヨーク片３７の両方の段部１０が斜面を有する両方の係止突起８に係合して係止突起８部は弾性復元して取付基板３３の凹部３５への磁石部３４の固定が完了する。この係合をする時係止突起８は斜面を有しているので第１、第２実施例と同様に前記弾性変形を容易にし、磁石の固定を簡単に行うことができる。
【００１４】
上記本発明実施例によれば係合を解く時、取付パネル４０との固定部周辺に作業スペースがなく、差込縁２２を外にひっぱったり、係合片２８を外に倒す操作がしにくい場合でも、一度固定部から長尺体保持具１，２３，３２ごと外してから、係合を解く操作をすれば作業がしやすいという効果がある。
【００１５】
【発明の効果】
本発明は上記のとおり構成されているので、次に記載する効果を奏する。
請求項１の発明によれば、長尺体は取付基板の凹部に磁石を設けたことにより、パネルに孔をあけることなく簡単に取り付け場所を変更することができるとともに、磁石片にヨーク片を組み合せた磁石部を取付基板の凹部に押し込むだけで凹部の係止突起と磁石部の段部が係合して簡単に磁石部の取付基板への組立を完了させることができる長尺体保持具を提供することができる。
請求項２の発明によれば、結束を解くときにいったん長尺体固定具ごとパネルから取り外して作業しやすい位置でベルトをストッパから外すことができる。
【図面の簡単な説明】
【図１】本発明の一実施例を示す正面図である。
【図２】図１のＡ−Ａ断面図である。
【図３】本発明の一実施例を示す長尺体保持具の取付基板の側面図である。
【図４】本発明の一実施例を示す取付基板に係合固定される磁石部の側面図である。
【図５】本発明の一実施例を示す取付基板に磁石部を係合固定する場合を説明する一部破断の側面図である。
【図６】本発明の一実施例を示すパネルに取り付けた状態の一部破断の側面図である。
【図７】本発明の第２実施例を示す正面図である。
【図８】図７のＢ−Ｂ断面図である。
【図９】本発明の第３実施例を示す断面図である。
【図１０】本発明の第３実施例を示す長尺体保持具の取付基板の側面図である。
【図１１】本発明の第３実施例を示す取付基板に係合される磁石部の側面図である。
【符号の説明】
１  長尺体保持具
２  取付基板
３  長尺体固定部
４  磁石部
５  凹部
６  磁石片
７  ヨーク片
８  係止突起
９  係止突起
１０  段部
１１  段部
１２  梯子状可撓性ベルト
１３  枢着
１４  側棒
１５  平行段
１６  ストッパ
１７  隆起部
１８  貫通孔
２３  長尺体保持具
２４  取付基板
２５  長尺体固定部
３２  長尺体保持具
３３  取付基板
３４  磁石部
３５  凹部
３６  磁石片
３７  ヨーク片
４０  取付パネル
【図１】
0003882006.tif 000002
【図２】
0003882006.tif 000003
【図３】
0003882006.tif 000004
【図４】
0003882006.tif 000005
【図５】
0003882006.tif 000006
【図６】
0003882006.tif 000007
【図７】
0003882006.tif 000008
【図８】
0003882006.tif 000009
【図９】
0003882006.tif 000010
【図１０】
0003882006.tif 000011
【図１１】
0003882006.tif 000012